(57)【要約】【課題】発泡状態の界面活性剤水溶液を供給対象へ一様に供給することができると共に、安価・簡易に施工することができる発泡システム及び発泡方法を提供する。【解決手段】本システム１は、界面活性剤水溶液を発泡する発泡器２と、この発泡器に接続され且つその接続端側から下流に向かって複数に分岐する分岐接続管５と、この分岐接続管の夫々の分岐端側に連なり且つ供給口（供給孔３３）を有する複数の供給手段（分割パイプ６ａ〜６ｄ）と、を備えて構成される。また、上記供給手段に、この供給手段の内部に残留する水を排出するための排出手段（ドレン用弁３４ａ，３４ｂ）を設けることが好ましい。【選択図】  図１
2004181088.tif 000002
【特許請求の範囲】
【請求項１】
界面活性剤水溶液を発泡する発泡器と、該発泡器に接続され且つその接続端側から下流に向かって複数に分岐する分岐接続管と、該分岐接続管の夫々の分岐端側に連なり且つ前記発泡器で発泡された前記界面活性剤水溶液を供給対象へ供給するための供給口を有する複数の供給手段と、を備えることを特徴とする発泡システム。
【請求項２】
前記発泡器に前記界面活性剤水溶液を供給するための界面活性剤供給手段を備える請求項１記載の発泡システム。
【請求項３】
前記発泡器に気体を供給するための気体供給手段を備える請求項１又は２に記載の発泡システム。
【請求項４】
前記発泡器に水を供給するための水供給手段を備える請求項１乃至３のいずれか一項に記載の発泡システム。
【請求項５】
前記供給対象が室内の床及び腰壁のうち少なくとも一方の表面であると共に、前記発砲器が前記室内の上方部に配設され、且つ、前記分岐接続管が前記室内の壁に沿って配設され、更に、複数の前記供給手段が前記室内の下方部に配設される請求項１乃至４のいずれか一項に記載の発泡システム。
【請求項６】
前記供給手段に、該供給手段の内部に残留する水を排出するための排出手段を設けた請求項１乃至５のいずれか一項に記載の発泡システム。
【請求項７】
前記供給手段が、両端を閉鎖してなる分割パイプである請求項１乃至６のいずれか一項に記載の発泡システム。
【請求項８】
前記供給口が、前記分割パイプの軸方向に沿って配設される複数の供給孔で構成される請求項７記載の発泡システム。
【請求項９】
前記分岐接続管が、夫々の分岐端側に供給される前記界面活性剤水溶液の供給圧が同じ値となるように設定される請求項１乃至８のいずれか一項に記載の発泡システム。
【請求項１０】
前記分岐接続管がトーナメント状に形成されている請求項１乃至９のいずれか一項に記載の発泡システム。
【請求項１１】
前記分岐接続管に、流路を切替えるための流路切替手段を設けた請求項１乃至１０のいずれか一項に記載の発泡システム。
【請求項１２】
前記分岐接続管に下流側発泡器を設けた請求項１乃至１１のいずれか一項に記載の発泡システム。
【請求項１３】
厨房等の室内の床及び腰壁のうち少なくとも一方の表面の洗浄に使用される請求項１乃至１２のいずれか一項に記載の発泡システム。
【請求項１４】
発泡器で界面活性剤水溶液を発泡させ、その発泡された前記界面活性剤水溶液を、下流に向かって複数に分岐する分岐接続管を介して複数の供給手段に供給し、複数の該供給手段の供給口から供給対象に供給することを特徴とする発泡方法。
【請求項１５】
前記発泡器で前記界面活性剤水溶液を気体と混合させつつ発泡させる請求項１４記載の発泡方法。
【請求項１６】
前記発泡器で発泡された前記界面活性剤水溶液を供給対象に供給し、所定時間放置した後、前記発泡器に供給される水を、前記分岐接続管を介して複数の前記供給手段の前記供給口から供給対象に供給する請求項１４又は１５に記載の発泡方法。
【請求項１７】
前記水を供給対象に供給した後、複数の前記供給手段の内部に残留する水を排水する請求項１６記載の発泡方法。
【請求項１８】
前記発泡器で発泡された前記界面活性剤水溶液を、複数の前記供給手段に所定の順番で順次供給する請求項１４乃至１７のいずれか一項に記載の発泡方法。
【請求項１９】
前記発泡器で発泡された前記界面活性剤水溶液を再発泡し、その再発泡された前記界面活性剤水溶液を、複数の前記供給手段の前記供給口から供給対象に供給する請求項１４乃至１８のいずれか一項に記載の発泡方法。
【請求項２０】
厨房等の室内の床及び腰壁のうち少なくとも一方の表面の洗浄に使用される請求項１４乃至１９のいずれか一項に記載の発泡方法。
【発明の詳細な説明】
【０００１】
【発明の属する技術分野】
本発明は、発泡システム及び発泡方法に関し、更に詳しくは、発泡状態の界面活性剤水溶液を供給対象へ一様に供給することができると共に、安価・簡易に施工することができる発泡システム及び発泡方法に関する。ここで、「発泡システム」とは、発泡液で覆ったり、その覆われた発泡液を排除したりすることを広く意味する。また、「発泡方法」とは、上記と同様にして、発砲液で覆ったり、その覆われた発砲液を排除したりすることを広く意味する。
本発明は、例えば、厨房、トイレ、風呂、工場、ゴミ集積場等の洗浄処理、殺菌処理、消毒処理、不快害虫駆除処理、農地等の農薬散布処理及びこれに関連する分野に広く利用される。
【０００２】
【従来の技術】
従来より、厨房等の床面洗浄システムとして、例えば、洗浄液を発泡可能な発泡器（発泡器３）と、この発泡器に洗浄液又は水を供給するための供給手段（圧送ポンプ４、コンプレッサ３０、接続配管８、制御装置２０等）と、この発泡器に接続管を介して接続され且つ室内の周囲に沿って配設される一本の供給パイプ（分配管５）と、を備えるものが知られている（特許文献１参照。）。
このような床面洗浄システムによると、先ず、洗浄液が発泡器に供給されて発泡され、その泡状の洗浄液が、接続管を介して供給パイプに設けられた多数の供給口（吐出口６ａ〜６ｇ）から床面へ噴射散布され、その散布状態でしばらく放置される。その後、発泡器に供給される水が、接続管を介して供給パイプの供給口から床面へ噴射され、床面の汚れを洗浄液と共に洗い流すようになっている。
【０００３】
【特許文献１】
実開平５−１３３４４号公報
【０００４】
【発明が解決しようとする課題】
しかし、上記従来の床面洗浄システムでは、一本の連続する供給パイプを床面の周囲に沿って配設しているので、この供給パイプに供給される発泡状態の洗浄液は、発泡器に近接する部位ではその供給圧が高く、発泡器から遠く離れた部位ではその供給圧が低いものとなっている。従って、上記従来の床面洗浄システムでは、上記供給パイプに設けられる多数の供給口を、吐出量を調整可能なノズル機構で構成し、施工時に、床面に一様に泡状の洗浄液を散布し得るように煩雑なノズル調整作業を行う必要があった。
また、洗浄対象となる室内に扉等の出入口がある場合には、一本の連続する供給パイプの一部（出入口と対応する部分）を床面下に埋設する必要があり、施工コストが高くなるといった問題があった。
さらに、上記従来の床面洗浄システムでは、１回の洗浄作業で、供給パイプには泡状の洗浄液と水とが順次供給されるが、今回の洗浄作業で供給パイプに供給されパイプ内に残った水によって、次回の洗浄作業で供給パイプに供給される泡状の洗浄液が希釈され、床面に散布される洗浄液が良好な発泡状態とならない場合があった。
【０００５】
以上より、本発明は、上記現状に鑑みてなされたものであり、発泡状態の界面活性剤水溶液を供給対象へ一様に供給することができると共に、安価・簡易に施工することができる発泡システム及び発泡方法を提供することを目的とする。
【０００６】
【課題を解決するための手段】
本発明の発泡システムは、界面活性剤水溶液を発泡する発泡器と、該発泡器に接続され且つその接続端側から下流に向かって複数に分岐する分岐接続管と、該分岐接続管の夫々の分岐端側に連なり且つ前記発泡器で発泡された前記界面活性剤水溶液を供給対象へ供給するための供給口を有する複数の供給手段と、を備えることを特徴とする。
【０００７】
また、前記発泡器に前記界面活性剤水溶液を供給するための界面活性剤供給手段を備えることができる。
また、前記発泡器に気体を供給するための気体供給手段を備えることができる。
さらに、前記発泡器に水を供給するための水供給手段を備えることができる。
【０００８】
また、前記供給対象が室内の床及び腰壁のうち少なくとも一方の表面であると共に、前記発砲器が前記室内の上方部に配設され、且つ、前記分岐接続管が前記室内の壁に沿って配設され、更に、複数の前記供給手段が前記室内の下方部に配設されることができる。
また、前記供給手段に、該供給手段の内部に残留する水を排出するための排出手段を設けることができる。
また、前記供給手段が、両端を閉鎖してなる分割パイプであることができる。
また、前記供給口が、前記分割パイプの軸方向に沿って配設される複数の供給孔で構成されることができる。
また、前記分岐接続管が、夫々の分岐端側に供給される前記界面活性剤水溶液の供給圧が同じ値となるように設定されることができる。
また、前記分岐接続管がトーナメント状に形成されていることができる。
また、前記分岐接続管に、流路を切替えるための流路切替手段を設けることができる。
また、前記分岐接続管に下流側発泡器を設けることができる。
さらに、厨房等の室内の床及び腰壁のうち少なくとも一方の表面の洗浄に使用されることができる。
【０００９】
本発明の発泡方法は、発泡器で界面活性剤水溶液を発泡させ、その発泡された前記界面活性剤水溶液を、下流に向かって複数に分岐する分岐接続管を介して複数の供給手段に供給し、複数の該供給手段の供給口から供給対象に供給することを特徴とする。
【００１０】
また、前記発泡器で前記界面活性剤水溶液を気体と混合させつつ発泡させることができる。
また、前記発泡器で発泡された前記界面活性剤水溶液を供給対象に供給し、所定時間放置した後、前記発泡器に供給される水を、前記分岐接続管を介して複数の前記供給手段の前記供給口から供給対象に供給することができる。
また、前記水を供給対象に供給した後、複数の前記供給手段の内部に残留する水を排水することができる。
また、前記発泡器で発泡された前記界面活性剤水溶液を、複数の前記供給手段に所定の順番で順次供給することができる。
また、前記発泡器で発泡された前記界面活性剤水溶液を再発泡し、その再発泡された前記界面活性剤水溶液を複数の前記供給手段の前記供給口から供給対象に供給することができる。
さらに、厨房等の室内の床及び腰壁のうち少なくとも一方の表面の洗浄に使用されることができる。
【００１１】
【発明の効果】
本発明の発泡システムによると、発泡器で発泡された界面活性剤水溶液を、分岐接続管を介して複数の供給手段に略均等の供給圧でもって供給でき、これらの供給手段の供給口から供給対象へ一様に供給することができる。また、複数の供給手段を任意の設置形態で配設することができ、安価・簡易に施工することができる。
【００１２】
また、前記発泡器に前記界面活性剤水溶液を供給するための界面活性剤供給手段を備える場合は、発泡器に界面活性剤水溶液を供給することができる。
また、前記発泡器に気体を供給する気体供給手段を備える場合は、発泡器で界面活性剤水溶液を気体と混合させつつ発泡でき、界面活性剤水溶液を効率良く且つ良好に発泡することができる。
さらに、前記発泡器に水を供給するための水供給手段を備える場合は、発泡された界面活性剤水溶液を供給対象に供給し、所定時間放置した後、複数の供給手段の供給口から水を供給対象に供給して、界面活性剤水溶液を洗い流すことができる。さらに、この水で、発泡器、分岐接続管及び供給手段の内部に残留する界面活性剤水溶液を洗い流すことができ、装置を清潔に保つことができる。
【００１３】
また、前記供給対象が室内の床及び腰壁のうち少なくとも一方の表面であると共に、前記発砲器が前記室内の上部に配設され、且つ、前記分岐接続管が前記室内の壁に配設され、更に、複数の前記供給手段が前記室内の下部に配設される場合は、発泡された界面活性剤水溶液を、自重の作用で分岐接続管内を流して、室内の床面及び／又は腰壁の表面に一様に供給することができる。従って、より簡易な構造とすることができる。
また、前記供給手段に、該供給手段の内部に残留する水を排出するための排出手段を設ける場合は、今回の供給作業で、供給手段の内部に残留する水を略完全に排水でき、次回の供給作業で、供給手段に供給される界面活性剤水溶液が希釈されることなく、良好な発泡状態とすることができる。
また、前記供給手段が、両端を閉鎖してなる分割パイプである場合は、より効率良く良好な発泡状態で界面活性剤水溶液を供給対象に供給することができる。
また、前記供給口が、前記分割パイプの軸方向に沿って配設される複数の供給孔で構成される場合は、より簡易な構造とすることができる。
また、前記分岐接続管が、夫々の分岐端側に供給される前記界面活性剤水溶液の供給圧が同じ値となるように設定される場合は、複数の供給手段から界面活性剤水溶液を供給対象に一様に供給することができる。
また、前記分岐接続管がトーナメント状に形成される場合は、複数の供給手段から界面活性剤水溶液を供給対象に一様に供給することができる。
また、前記分岐接続管に、流路を切替えるための流路切替手段を設ける場合は、発泡器で発泡された界面活性剤水溶液を所定の順序で複数の分割パイプに順次供給することができる。その結果、より広範囲の供給対象に対応し得るシステムを提供することができる。
また、前記分岐接続管に下流側発泡器を設ける場合は、発泡器で発泡された界面活性剤水溶液を再発泡することができる。その結果、より広範囲の供給対象に対応し得るシステムを提供することができる。
さらに、厨房等の室内の床及び腰壁のうち少なくとも一方の表面の洗浄に使用される場合は、厨房等を好適に洗浄することができる。
【００１４】
本発明の発泡方法によると、発泡器で発泡された界面活性剤水溶液を、分岐接続管を介して複数の供給手段に略均等の供給圧でもって供給でき、これらの供給手段の供給口から供給対象へ一様に供給することができる。
【００１５】
また、前記発泡器で前記界面活性剤水溶液を気体と混合させつつ発泡させる場合は、界面活性剤水溶液を効率良く且つ良好に発泡することができる。
また、前記発泡器で発泡された前記界面活性剤水溶液を供給対象に供給し、所定時間放置した後、前記発泡器に供給される水を、前記分岐接続管を介して複数の前記供給手段の前記供給口から供給対象に供給する場合は、水で、供給対象に放置された界面活性剤水溶液を洗い流すことができる。さらに、この水で、発泡器、分岐接続管及び供給手段の内部に残留する界面活性剤水溶液を洗い流すことができ、装置を清潔に保つことができる。
また、前記水を供給対象に供給した後、複数の前記供給手段の内部に残留する水を排水する場合は、今回の供給作業で、供給手段の内部に残留する水を略完全に排水でき、次回の供給作業で、供給手段に供給される界面活性剤水溶液が希釈されることなく、良好な発泡状態とすることができる。
また、前記発泡器で発泡された前記界面活性剤水溶液を、複数の前記供給手段に所定の順番で順次供給する場合は、より広範囲の供給対象に対応することができる。
また、前記発泡器で発泡された前記界面活性剤水溶液を再発泡し、その再発泡された前記界面活性剤水溶液を、複数の前記供給手段の前記供給口から供給対象に供給する場合は、より広範囲の供給対象に対応することができる。
さらに、厨房等の室内の床及び腰壁のうち少なくとも一方の表面の洗浄に使用される場合は、厨房等を好適に洗浄することができる。
【００１６】
【発明の実施の形態】
＜発泡システム＞
本実施の形態に係る「発泡システム」は、以下に述べる発泡器、分岐接続管及び複数の供給手段を備える限り、その構造、規模、供給対象等は特に問わない。この発泡システムは、例えば、以下に述べる界面活性剤供給手段、気体供給手段及び水供給手段のうちの１つ又は２以上を組合わせて備えることができる。
【００１７】
上記「発泡器」は、界面活性剤水溶液を発泡し得る限り、その構造、形状、大きさ等は特に問わない。この発泡器は、通常、供給対象の上方部に配設される。また、この発泡器は、例えば、供給対象が室内の床及び／又は腰壁の表面である場合、室内の上方部（例えば、天井、天井に近接する壁等）に配設されることができる。また、この発泡器は、例えば、筒状の発泡器本体の内部にその軸方向に沿って複数の網状体を所定の間隔で並設してなることができる。これにより、効率良く且つ良好に発泡することができる安価・簡易な構造の発泡器を提供することができる。また、網状体の清掃・交換等を簡易に行い得るために、上記発泡器本体が分解・組付可能であることが好ましい。さらに、より効率良く且つ良好に発泡し得るといった観点から、上記網状体の網目が４０〜１００メッシュ、特に６０〜８０メッシュであることが好ましい。また、網状体の設定枚数が１〜２０枚、特に３〜８枚であることが好ましい。さらに、網状体が蛇腹状に形成されることが好ましい。
【００１８】
上記「分岐接続管」は、発泡器に接続され且つその接続端から下流に向かって複数に分岐する限り、その構造、形状、材質等は特に問わない。この分岐接続管は、通常、垂直方向に沿って配設される。また、この分岐接続管は、例えば、供給対象が室内の床及び／又は腰壁の表面である場合、室内の壁に沿って配設されることができる。また、この分岐接続管の断面形状としては、例えば、丸環状、角環状、異形環状等を挙げることができる。また、防錆性を向上させ得るといった観点から、この分岐接続管が合成樹脂製、ステンレス製等であることが好ましい。さらに、カビ防止といった観点から、分岐接続管が防カビ剤を含んだ材料よりなることが好ましい。
また、この分岐接続管は、例えば、夫々の分岐端側に供給される前記界面活性剤水溶液の供給圧が同じ値となるように設定されることができる。ここで、その設定要素としては、例えば、管径、管長さ、分岐数、分岐点高さ等を挙げることができる。より簡易な構造にできるといった観点から、分岐接続管が、任意の分岐点において二又状に分岐されることが好ましい。また、分岐接続管が、トーナメント状（好ましくは１乃至４段、特に２又は３段のトーナメント状）に形成されることが好ましい。また、分岐接続管が、最上流部の分岐点を通る垂線を軸として左右対称の形状であることが好ましい。尚、上記「同じ値」とは、所定の数値範囲内の値であることが許容される。
【００１９】
また、上記分岐接続管に、例えば、流路を切替えるための流路切替手段を設けることができる。これにより、後述する複数の供給手段から所定の順序で界面活性剤水溶液を順次供給することができる。その結果、供給手段の設定数等を可能な限り増加でき、広範囲の供給対象に対応することができる。尚、上記流路切替手段は、通常、流路切替用弁である。
さらに、上記分岐接続管に、例えば、下流側発泡器を設けることができる。これにより、発泡器で発泡された界面活性剤水溶液を再発泡することができる。その結果、供給手段の設定数等を可能な限り増加でき、より広範囲の供給対象に対応することができる。上記下流側発泡器は、例えば、上述の発泡器と同じ構成であることができる。また、この下流側発泡器は、例えば、分岐接続管の各分岐路に設けられることができる。
【００２０】
上記「供給手段」は、上記分岐接続管の夫々の分岐端側に連なり且つ上記発泡器で発泡された界面活性剤水溶液を供給対象へ供給するための供給口を有する限り、その構造、形状、設定数等は特に問わない。この供給手段は、例えば、供給対象が室内の床及び／又は腰壁の表面である場合、室内の下方部（例えば、床、腰板等）に配設されることができる。また、防錆性を向上させ得るといった観点から、この供給手段が合成樹脂製、ステンレス製等でることが好ましい。さらに、カビ防止といった観点から、供給手段が防カビ剤を含んだ材料よりなることが好ましい。
また、供給手段としては、例えば、上記分岐接続管の分岐端側に接続される供給部材、上記分岐接続管の先端部｛図９（ａ）参照。｝等を挙げることができる。この供給部材は、例えば、両端を閉鎖してなる分割パイプ（図６参照。）であることができる。
【００２１】
また、上記供給手段に、例えば、供給手段の内部に残留する水を排出するための排出手段を設けることができる。これにより、供給手段の内部に残留する水を略完全に排出でき、供給手段の内部に供給される界面活性剤水溶液が希釈されることなく、良好な発泡状態の界面活性剤水溶液を供給対象に供給することができる。この排出手段は、通常、ドレン用弁である。
さらに、上記供給手段に、例えば、下流側発泡器を設けることができる。これにより、発泡器で発泡された界面活性剤水溶液を再発泡することができる。その結果、供給手段の設定数等を可能な限り増加でき、より広範囲の供給対象に対応することができる。上記下流側発泡器は、例えば、上述の発泡器と同じ構成であることができる。
【００２２】
上記「分割パイプ」の形状、大きさ、設定本数、長さ等は特に制限されない。この分割パイプは、通常、水平方向に沿って配設される。また、この分割パイプの外郭形状としては、例えば、直線状、湾曲状、屈曲状等を挙げることができる。また、この分割パイプの断面形状としては、例えば、丸環状、角環状、異形環状等を挙げることができる。さらに、施工性を向上させ得るといった観点から、分割パイプの軸方向長さが１３〜６０ｍｍ、特に１６〜２０ｍｍであることが好ましい。
上記「供給口」は、例えば、分割パイプの周面にその軸方向に沿って所定の間隔で複数貫通形成された供給孔で構成されることができる。この供給孔の大きさ、形状、設定数等は特に制限されない。
尚、複数の分割パイプは、全てが同じ構造、形状等のパイプであってもよいし、異なる構造、形状等のパイプの組合わせであってもよい。
【００２３】
上記「界面活性剤供給手段」は、上記発泡器に界面活性剤水溶液を供給し得る限り、その構造、配設形態等は特に問わない。この界面活性剤供給手段は、例えば、界面活性剤水溶液を収容する収容容器と、この収容容器及び発泡器を連絡する配管と、この配管に設けられる送出手段（例えば、ポンプ等）とを有することができる。また、この界面活性剤供給手段は、例えば、界面活性剤水溶液を気体（例えば、空気、窒素ガス、炭酸ガス等）と混合させ予め発泡（又は含泡）させた状態で発泡器へ供給することができる。これにより、界面活性剤水溶液を効率良く発泡させて良好な発泡状態を得ることができる。
さらに、上記界面活性剤供給手段は、例えば、界面活性剤水溶液を水と混合して希釈するための希釈部（例えば、継手管等）を有することができる。これにより、希釈部で十分に希釈された界面活性剤水溶液を発泡器へ供給でき、発泡器で効率良く発泡でき良好な発泡状態を得ることができる。また、この希釈部は、例えば、水が流入する流入口と、界面活性剤水溶液を収容した収容容器に接続され界面活性剤水溶液が流入する流入口と、これら両流入口に連なる流出口とを有する継手管で構成することができる。効率良く希釈できるといった観点から、上記両流入口に流量調整手段（例えば、流量調整チップ、コック等）を設けることが好ましい。
【００２４】
上記「気体供給手段」は、上記発泡器に気体（例えば、空気、窒素ガス、炭酸ガス等）を供給し得る限り、その構造、配設形態等は特に問わない。この気体供給手段は、例えば、発泡器に接続される配管と、この配管に設けられる送出手段（例えば、ブロア、コンプレッサ等）とを有することができる。
【００２５】
上記「水供給手段」は、上記発泡器又は上記分岐接続管に水（例えば、水道水等）を供給し得る限り、その構造、配設形態等は特に問わない。この水供給手段は、例えば、発泡器（又は分岐接続管）に接続される配管と、この配管に設けられる流量調整手段（例えば、流量調整用弁等）とを有することができる。また、この水供給手段は、例えば、水を収容する収容容器と、この収容容器及び発泡器（又は分岐接続管）を連絡する配管と、この配管に設けられる送出手段（例えば、ポンプ等）とを有することができる。
【００２６】
ここで、上記界面活性剤供給手段、気体供給手段及び水供給手段を構成する要素を兼用することができる。具体的には、（１）界面活性剤供給手段、気体供給手段及び水供給手段を構成する配管のうちの２以上を共通の配管とする形態、（２）界面活性剤供給手段、気体供給手段及び水供給手段を構成する送出手段のうちの２以上を共通の送出手段とする形態等を挙げることができる。ここで、上記形態（１）及び形態（２）を組合わせることもできる。さらに、上記配管は、その一部又は全部を共通の配管とすることができる。
尚、上記発泡システムは、例えば、上記界面活性剤供給手段、気体供給手段及び水供給手段を構成する送出手段や流量調整手段等を制御する制御手段を備えることができる。
【００２７】
上記「界面活性剤」としては、水に発泡するものであれば特に限定されない。この界面活性剤は、水溶液の状態又は水中に分散させて用いることができ、その濃度については特に限定はないが、好ましくは０．１重量％以上とすることができる。０．１重量％以上とすることにより、上記界面活性剤を発泡させたときに発泡状態を十分に保持することができるので好ましい。
また、上記界面活性剤として、例えば、グリセリン脂肪酸エステル、ショ糖脂肪酸エステル、ポリオキシエチレン脂肪酸エステル、ポリオキシプロピレン脂肪酸エステル、ポリオキシオレイン酸ナトリウム、ポリオキシエチレンモノアルキルエーテル、アルキルアミンオキシエチレン付加物等が挙げられ、１種又は２種以上を併用して用いることができる。
【００２８】
上記グリセリン脂肪酸エステルとしては、界面活性作用があるものであれば特に限定されず、この脂肪酸は高級脂肪酸を意味し、通常、炭素数が８〜２０程度のものが使用される。上記グリセリン脂肪酸エステルの例としては、グリセリンモノステアレート、グリセリンモノオレエート、デカグリセリンモノオレエート、グリセリン酢酸脂肪酸エステル、グリセリン乳酸脂肪酸エステル、グリセリンクエン酸脂肪酸エステル、グリセリンコハク酸脂肪酸エステル、グリセリンジアセチル酒石酸脂肪酸エステル、グリセリン酢酸エステル等が挙げられるが、これらのうちデカグリセリンモノオレエートが好ましく用いられる。また、上記ショ糖脂肪酸エステルとしては、界面活性作用があるものであれば特に限定されず、この脂肪酸は高級脂肪酸を意味し、通常、炭素数が８〜２０程度のものが使用される。また、このエステルとしては、モノエステル、ジエステル、トリエステル等が挙げられ、このうち、モノエステル、ジエステルが好ましく用いられる。また、上記ポリオキシエチレンモノアルキルエーテルのアルキルとしては、特に限定されないが、炭素数１０〜１８のアルキルが好ましく用いられる。
【００２９】
＜発泡方法＞
本実施の形態に係る発泡方法は、上述の発泡器で発泡された界面活性剤水溶液を複数の上述の供給手段の供給口から供給対象に供給し得る限り、その供給量、供給時間等は特に問わない。この発泡方法では、例えば、発泡器で界面活性剤水溶液を気体と混合させつつ発泡させることができる。さらに、この発泡方法では、例えば、界面活性剤水溶液を気体と混合させ予め発泡（又は含泡）させた状態で発泡器へ供給することができる。
また、この発泡方法では、例えば、発泡器で発泡された界面活性剤水溶液を供給対象に供給し、所定時間放置した後、複数の供給手段の供給口から水を供給対象に供給することができる。また、この発泡方法では、例えば、水を供給対象に供給した後、複数の供給手段の内部に残留する水を排水することができる。また、この発泡方法では、例えば、発泡器で発泡された界面活性剤水溶液を、複数の供給手段に所定の順番で順次供給することができる。さらに、この発泡方法では、例えば、発泡器で発泡された界面活性剤水溶液を再発泡することができる。
【００３０】
【実施例】
以下、図面を参照して実施例により本発明を具体的に説明する。尚、本実施例では、発泡システムとして、発泡された洗浄液を供給対象としての室内の床面に供給する床面洗浄システムを例示する。
【００３１】
床面洗浄システムの構成
本実施例に係る床面洗浄システム１は、図１，２に示すように、発泡器２と、この発泡器２に洗浄液又は水を供給するための液供給手段３と、この発泡器２に空気を供給するための空気供給手段４と、この発泡器２に接続される合成樹脂製の分岐接続管５と、この分岐接続管５の夫々の分岐端側に接続される合成樹脂製の複数（図中４本）の分割パイプ６ａ〜６ｄとを備えて基本的には構成される。
上記発泡器２は、分解・組付可能な合成樹脂製で筒状の発泡器本体７と、この発泡器本体７の内部に適宜所定の間隔で並設される８０メッシュの複数（図中４枚）の網状体８とを有している。この発泡器２は、室内Ｒの天井Ｃに近接する壁面Ｗに適宜固定具（図示せず。）を介して配設されている。
【００３２】
上記液供給手段３は、洗浄液を収容する洗浄液タンク１０と、一対の接続ノズル１１ａ，１１ｂを有する液供給ユニット１２と、この液供給ユニット１２の一方の接続ノズル１１ａと上記発泡器２とを接続する液供給用配管１３とを有している。この洗浄液タンク１０及び液供給ユニット１２は、適宜固定具を介して室内Ｒの壁面Ｗに配設されている。また、他方の接続ノズル１１ｂには、水道水が供給される給水ホース（図示せず）が接続されている。また、この液供給ユニット１２の内部において、一対の接続ノズル１１ａ，１１ｂを連絡する連絡配管１５には、並列状に分岐する一対の分岐路１６ａ，１６ｂと、バイパス路１７とが形成されている。一方の分岐路１６ａには希釈用給水弁１８が設けられ、他方の分岐路１６ｂには水洗用給水弁１９が設けられている。
尚、洗浄液又は水を効率よく供給できるといった観点から、上記液供給ユニット１２が上記発泡器２に近接する位置、即ち、室内Ｒの天井Ｃに近接する壁面Ｗに配設されることが好ましい。
【００３３】
また、上記バイパス路１７には、合成樹脂製のＴ字状の継手管２０と、送出ポンプ２１とが設けられている。この継手管２０は、図３に示すように、水道水が流入する水流入口２２ａと、洗浄液タンク１０と接続されその洗浄液が流入する洗浄液流入口２２ｂと、送出ポンプ２１側に接続される流出口２２ｃとを有している。この水流入口２２ａには水量調整チップ２３ａが設けられ、洗浄液流入口２２ｂには洗浄液調整チップ２３ｂが設けられている。これら各調整チップ２３ａ，２３ｂを適宜調整することによって、洗浄液を十分に希釈（水量３リットル／分で１０００倍希釈）し得るようになっている。
そして、上記送出ポンプ２１及び上記各給水弁１８，１９は適宜制御手段（図示せず）によって制御され、発泡時には、送出ポンプ２１及び希釈用給水弁１８が作動されて継手管２０で希釈された洗浄液が発泡器２に供給される。一方、散水時には、水洗用給水弁１９のみが作動され水が発泡器２に供給されるようになっている。
【００３４】
上記空気供給手段４は、適宜固定具を介して室内Ｒの壁面Ｗに配設される送出ブロア２５と、この送出ブロア２５と上記発泡器２とを接続する空気供給用配管２６とを有している。そして、この送出ブロア２５は、適宜制御手段の制御によって、発泡時に作動されて発泡器２に空気が供給される。その結果、この発泡器２では、洗浄液が空気と混合されつつ発泡されることとなる。
【００３５】
上記分岐接続管５は、適宜固定具を介して室内Ｒの壁面Ｗに配設されている。また、この分岐接続管５は、図４に示すように、その接続部３０が上記発泡器２の下端部に接続されると共に、その接続部３０から下方（下流）に向かって第１、第２及び第３分岐点３１ａ，３１ｂ，３１ｃでトーナメント状に複数分岐している。また、この分岐接続管５は、第２及び第３分岐点３１ｂ，３１ｃが同じ高さ位置に設定されている。また、この分岐接続管５は、各分岐点３１ａ〜３１ｃから次の分岐点３１ｂ，３１ｃ又は上記分割パイプ６ａ〜６ｄまで延びる水平長さ及び垂直長さが同じ値に設定されている。即ち、この分岐接続管５は、最頂部の第１分岐点３１ａを通る垂線を軸として左右対称の形状に形成されている。従って、この分岐接続管５を介して、複数の分割パイプ６ａ〜６ｄに供給される洗浄液の供給圧が略同じ値となる。
尚、上記実施例では、分岐接続管５の夫々の接続端側を複数の分割パイプ６ａ〜６ｄの軸方向中央部に接続するようにしたが、これに限定されず、例えば、図５に示すように、分岐接続管５の夫々の接続端側を複数の分割パイプ６ａ〜６ｄの軸方向端部に接続するようにしても良い。
【００３６】
上記分割パイプ６ａ〜６ｄは、図６に示すように、軸方向両端側を閉鎖してなる円筒状をなし、その軸方向長さが約１５００ｍｍに設定されている。各分割パイプ６ａ〜６ｄの周面には、その軸方向に沿って所定の間隔で複数の供給孔３３が貫通形成されている。また、各分割パイプ６ａ〜６ｄの軸方向端部付近の周面には、一対のドレン用弁３４ａ，３４ｂが設けられている。そして、これらのドレン用弁３４ａ，３４ｂは、適宜制御手段の制御によって、散水後に作動されて、各分割パイプ６ａ〜６ｄ内に残留する水が排水されるようになっている。
【００３７】
（２）床面洗浄システムの作用
次に、以上のように構成された床面洗浄システム１の作用について説明する。先ず、洗浄時には、図２に示すように、送出ポンプ２１及び希釈用給水弁１８の作動によって、液供給ユニット１２の継手管２０において、洗浄液が、希釈用の水で適宜希釈される。そして、この希釈洗浄液が、液供給用配管１３を介して発泡器２の一端側に供給される。さらに、送出ブロア２５の作動によって、空気供給用配管２６を介して空気が発布器２の一端側に供給される。
すると、その発泡器２では、洗浄液が空気と混合されつつ発泡される。そして、この発泡された洗浄液が、分岐接続管５を介して複数の分割パイプ６ａ〜６ｄに略均等な供給圧で供給され、各分割パイプ６ａ〜６ｄの供給孔３３から室内Ｒの床面Ｆに噴射散布され、その散布状態でしばらく放置されることとなる（図１参照。）。
【００３８】
その後、所定時間経過後に、水洗用給水弁１９の作動によって、水道水が、液供給用配管１３を介して発泡器２の一端側に供給される。そして、この発泡器２に供給された水は、分岐接続管５を介して複数の分割パイプ６ａ〜６ｄに供給され、これら各分割パイプ６ａ〜６ｄの供給孔３３から室内Ｒの床面Ｆに噴射散布される。すると、この散布される水によって、床面Ｆの汚れが洗浄液と共に洗い流されて排水溝Ｓ（図１参照。）に排水されることとなる。
さらに、上述の散水後に、各分割パイプ６ａ〜６ｄでは、ドレン用弁３４ａ，３４ｂの作動によってその内部に残留する水が排出されることとなる。
【００３９】
（３）実施例の効果
以上のように、本実施例では、発泡器２の一端側に液供給手段３及び空気給手段４を接続し、発泡器２の他端側に分岐接続管５を介して複数の分割パイプ６ａ〜６ｄを接続するようにしたので、発泡器２で発泡された洗浄液を複数の分割パイプ６ａ〜６ｄに略均等の供給圧でもって供給でき、従来のように、煩雑なノズル調整作業を必要とせず、各分割パイプ６ａ〜６ｄの供給孔３３から室内Ｒの床面Ｆに一様に噴射散布することができる。そして、その散布状態でしばらく放置した後、水を、複数の分割パイプ６ａ〜６ｄの供給孔３３から室内Ｒの床面Ｆに一様に噴射散布して、床面Ｆ上の汚れと共に洗浄液を洗い流すことができる。
【００４０】
また、床面Ｆへの散水時には、発泡器２、分岐接続管５及び各分割パイプ６ａ〜６ｄの内部が水で水洗され、これら各部品を清潔に保つことができる。
また、この床面洗浄システムの施工時には、室内Ｒの扉Ｄ（図１参照。）と対応する部位を避けて各分割パイプ６ａ〜６ｄを配設でき、従来のように、煩雑な埋設工事を必要とせず、安価・簡易に施工することができる。
さらに、床面Ｆへの散水後に、各分割パイプ６ａ〜６ｄの内部に残留する水を排水するようにしたので、次回の発泡時に、各分割パイプ６ａ〜６ｄに供給される発泡状態の洗浄液が希釈されることなく、良好な発泡状態の洗浄液を床面Ｆに散布することができる。
【００４１】
尚、本発明においては、上記実施例に限られず、目的、用途に応じて本発明の範囲内で種々変更した実施例とすることができる。即ち、上記実施例では、発泡器２で発泡された洗浄液を全ての分割パイプ６ａ〜６ｄに同時に供給するようにしたが、これに限定されず、例えば、図７に示すように、分岐接続管３５の各分岐路の途中に流路切替用弁３６ａ〜３６ｅを設け、これら流路切替用弁３６ａ〜３６ｅを適宜制御手段で制御して、発泡器２で発泡された洗浄液を複数の分割パイプ６ａ〜６ｅに所定の順序で順次供給することができる。具体的には、複数の分割パイプ６ａ〜６ｅのうち１つずつ所定の順番で洗浄液を供給する。このような構成であっても、上記実施例と略同様の作用・効果を奏でると共に、比較的広範囲な洗浄対象に洗浄液を散布することができる。
【００４２】
また、図８に示すように、分岐接続管３５の各分岐路に、上記発泡器２と略同じ構成の下流側発泡器４０ａ〜４０ｄを設け、発泡器２で発泡された洗浄液を各下流側発泡器４０ａ〜４０ｄで再発泡するようにしてもよい。これにより、上記実施例と略同様の作用・効果を奏でると共に、良好な発泡状態の洗浄液を、より広範囲な洗浄対象に散布することができる。尚、図中仮想線で示すように、上記下流側発泡器４０を分岐接続管５に設けるようにしてもよい。
【００４３】
また、上記実施例では、供給手段として、両端を閉鎖してなる分割パイプ６ａ〜６ｄを例示したが、これに限定されず、例えば、図９（ａ）に示すように、供給手段を、供給口５０ａを有する分岐接続管５の先端部５ａで構成したり、図９（ｂ）に示すように、供給手段を、分岐接続管５の先端部５ａに装着され且つ複数の供給口５０ｂ，５０ｂを有する分岐供給部材５１で構成したりしてもよい。このような構成であっても、上記実施例と略同様の作用・効果を奏でることができる。
【００４４】
また、上記実施例では、図１０（ａ）に示すように、発泡器２への洗浄液、水及び空気の供給系統を、洗浄液（又は水）を供給するための液供給用配管１３と、空気を供給するための空気供給配管２６とを備えて構成したが、これに限定されず、例えば、図１０（ｂ）に示すように、洗浄液を供給するための洗浄液供給配管４１と、空気を供給するための空気供給配管４２と、水を供給するための水供給配管４３とを備えて構成したり、図１０（ｃ）に示すように、洗浄液及び空気（又は水）を供給するための１つの配管４４を備えて構成したりできる。これらのような構成であっても、上記実施例と略同様の作用・効果を奏でることができる。
【００４５】
また、図２に仮想線で示すように、洗浄液タンク１０内の洗浄液に空気を混合（又は含泡）させるための配管及び送出ブロアＢを設けたり、バイパス路１７を流れる希釈洗浄液に空気を混合（又は含泡）させるための配管及び送出ブロアＢを設けたりすることができる。これにより、上記実施例と略同様の作用・効果を奏でると共に、洗浄液を、空気と混合（又は含泡）させた状態で発泡器に供給することができ、この発泡器で洗浄液をより効率良く発泡して、良好な発泡状態を得ることができる。
【００４６】
さらに、上記実施例では、洗浄液を洗浄対象（例えば、床面、腰壁等）へ散布する洗浄システムを例示したが、これに限定されず、例えば、殺菌剤を殺菌対象に散布するシステム、消毒剤を消毒対象に散布するシステム、不快害虫駆除剤を駆除対象に散布するシステム、農薬を農地へ散布するシステム等としてもよい。
【図面の簡単な説明】
【図１】本実施例に係る床面洗浄システムの全体構成を示す斜視図である。
【図２】各種供給手段を説明するためのブロック図である。
【図３】Ｔ字継手管の断面図である。
【図４】図１に示す床面洗浄システムの展開図である。
【図５】分岐接続管と分割パイプとの他の接続形態を説明するための説明図である。
【図６】分割パイプの斜視図である。
【図７】床面洗浄システムの他の形態を説明するための説明図である。
【図８】床面洗浄システムのさらに他の形態を説明するための説明図である。
【図９】供給手段の各種形態を説明するための説明図であり、（ａ）は分岐接続管の先端部で構成される形態を示し、（ｂ）は分岐供給部材で構成される形態を示す。
【図１０】発泡器への供給系統の各種形態を説明するための説明図であり、（ａ）は２系統で構成される形態を示し、（ｂ）は３系統で構成される形態を示し、（ｃ）１系統で構成される形態を示す。
【符号の説明】
１；床面洗浄システム、２；発泡器、３；液供給手段、４；空気供給手段、５，３５；分岐接続管、６ａ〜６ｄ；分割パイプ、３３；供給穴、３４ａ，３４ｂ；ドレン用弁、３６ａ〜３６ｅ；流路切替用弁、４０ａ〜４０ｄ；下流側発泡器、５０ａ，５０ｂ；供給口、５１；分岐供給部材、Ｒ；室内、Ｃ；天井、Ｗ；壁面、Ｆ；床面。
【図１】
2004181088.tif 000003
【図２】
2004181088.tif 000004
【図３】
2004181088.tif 000005
【図４】
2004181088.tif 000006
【図５】
2004181088.tif 000007
【図６】
2004181088.tif 000008
【図７】
2004181088.tif 000009
【図８】
2004181088.tif 000010
【図９】
2004181088.tif 000011
【図１０】
2004181088.tif 000012